(57)【特許請求の範囲】
【請求項１】
投入された紙幣を収容する紙幣収容部と、
該紙幣収容部に紙幣を載置すると共に、異物を分離する収容底部と、
分離した異物を返却する異物返却部と、
分離した異物を回収する回収トレーと、
前記収容底部の下方で、かつ前記異物返却部と前記回収トレーとの間に設置され、前記分離した異物を一時的に集積し、該異物を前記異物返却部もしくは前記回収トレーとに振分ける異物振分機構と、
該異物振分機構に一時集積した異物を撮影可能なカメラ部と、
前記異物振分機構に集積した異物の有無を検知する異物検知手段と、
前記カメラ部によって撮影した前記異物の画像と、該画像に写る異物の返却の要否を問う画面を表示する表示部とを備え、
前記異物の返却が必要とされた場合に、前記異物振分機構により前記異物を前記異物返却部に搬送し、
前記異物の返却は不要とされた場合に、前記異物振分機構により前記異物を前記回収トレーに搬送することを特徴とする自動取引装置。
【請求項２】
請求項１において、
前記収容底部を、前記載置された紙幣と直交する方向に隙間をあけるように支持棒を並べて構成したことを特徴とする自動取引装置。
【請求項３】
請求項１または請求項２において、
前記異物振分機構が、正逆回転可能に構成された搬送ベルトであることを特徴とする自動取引装置。
【請求項４】
請求項１または請求項２において、
前記異物振分機構が、前記異物返却部側または前記回収トレー側に回転する傾斜可動板であることを特徴とする自動取引装置。
【請求項５】
請求項１から請求項３または請求項４において、
前記異物振分機構と前記収容底部との間に、外部より前記収容底部を覗き込んだときに前記異物を視界から遮り、かつ前記収容底部で分離した異物を前記異物振分機構に落下させる斜板を有する遮蔽機構を設けたことを特徴とする自動取引装置。
【請求項６】
請求項５において、
前記遮蔽機構を、２枚の斜板で構成し、該２枚の斜板を上部から下部にかけて互いの間隔を狭めるように配置すると共に、一方の斜板の先端と他方の斜板の端部の上面との間に間隔を設けて対向させたことを特徴とする自動取引装置。
【発明の詳細な説明】
【技術分野】
【０００１】
本発明は、入金された紙幣を１枚毎に分離搬送して処理する現金自動預払機等の自動取引装置に関する。
【背景技術】
【０００２】
従来の現金自動預払機は、硬貨やクリップ等の異物が混入した紙幣が紙幣収容部に投入されたときに、紙幣収容部の収容底部の開口部から異物を落下させることによって異物を分離し、紙幣収容部の下方に設置した異物受け手段に集積させ、集積した異物を回収するときは係員が異物受け手段を外部に取り出すようにしている（例えば、特許文献１参照。）。
【特許文献１】特開平１０−１５４２５５号公報（第３頁段落００１６−第３頁段落００１８、第２図）
【発明の開示】
【発明が解決しようとする課題】
【０００３】
しかしながら、上述した従来の技術において、異物受け手段に落下した異物を係員が回収しているため、顧客が紙幣収容部に紙幣と一緒に硬貨等の回収されては困る異物を投入してしまい、その異物が異物受け手段に落下した場合に、顧客が落ちた異物を拾うために紙幣収容部の収容底部の開口部に無理に手を入れることで紙幣収容部を壊してしまうという可能性がある。
【０００４】
また、一般の現金自動預払機の中には、異物受け手段に落下した異物を全て異物返却部に搬送して集積することによって顧客に返却しているものもある。
この場合に、返却された異物が顧客にとって不要なものであるときは、顧客は返却された異物を受取らないでそのまま異物返却部に放置することがあり、放置された異物が異物返却部に残留すると異物返却部内が異物で満杯となって異物返却部が詰まってしまい、異物の返却を正常に行うことができなくなるという問題がある。
【０００５】
本発明は、上記の問題点を解決するためになされたもので、異物を係員が回収する場合において、顧客にとって回収されては困る異物が異物受け手段に落下したときに、顧客がその異物を拾うために紙幣収容部に無理に手を入れることのない異物返却手段を提供することを目的とする。
また、異物を異物返却部に搬送して顧客に返却する場合において、顧客が放置した異物で異物返却部が満杯になって、異物の返却を正常に行うことができなくなることを防止する手段を提供することを目的とする。
【課題を解決するための手段】
【０００６】
本発明は、上記課題を解決するために、投入された紙幣を収容する紙幣収容部と、該紙幣収容部に紙幣を載置すると共に、異物を分離する収容底部と、分離した異物を返却する異物返却部と、分離した異物を回収する回収トレーと、前記収容底部の下方で、かつ前記異物返却部と前記回収トレーとの間に設置され、前記分離した異物を一時的に集積し、該異物を前記異物返却部もしくは前記回収トレーとに振分ける異物振分機構と、該異物振分機構に一時集積した異物を撮影可能なカメラ部と、前記異物振分機構に集積した異物の有無を検知する異物検知手段と、前記カメラ部によって撮影した前記異物の画像と、該画像に写る異物の返却の要否を問う画面を表示する表示部とを備え、前記異物の返却が必要とされた場合に、前記異物振分機構により前記異物を前記異物返却部に搬送し、前記異物の返却は不要とされた場合に、前記異物振分機構により前記異物を前記回収トレーに搬送することを特徴とする。
【発明の効果】
【０００７】
これにより、本発明は、顧客に異物振分機構に一時集積した異物を表示して、顧客が異物の返却を必要とした場合には異物を異物返却部に搬送するため、顧客にとって回収されては困る異物が異物振分機構に落下した場合に、顧客がその異物を拾うために紙幣収容部に無理に手を入れることがなくなるという効果が得られる。
また、顧客が異物の返却を不要とした場合に、異物を回収トレーに搬送して回収するようにしたので、顧客が放置した異物によって異物返却部が満杯となるのを防止することができ、異物の返却を常に正常に行うことができるという効果が得られる。
【発明を実施するための最良の形態】
【０００８】
以下に、図面を参照して本発明による自動取引装置の実施例について説明する。
【実施例１】
【０００９】
図１は実施例１の現金自動預払機を示す斜視図、図２は実施例１の現金自動預払機を示すブロック図、図３は実施例１の紙幣取扱部の概略構成を示す断面図、図４は実施例１の紙幣収容部の内部を示す斜視図、図５は実施例１の紙幣収容部付近を示す説明図である。
図１において、１は自動取引装置としての現金自動預払機である。
２はＬＣＤ等の表示部であり、取引選択画面や各種の入力画面、顧客の処置を促す画面等を表示する。
【００１０】
３は入力部であり、テンキー等を備えており、顧客の暗証番号や入出金金額等の入力を受付ける。
図２において、５は現金自動預払機１の制御部であり、現金自動預払機１の各部を制御する。
６は記憶部であり、制御部５が実行するプログラムやそれに用いる各種のデータおよび制御部５による処理結果等を格納する。
【００１１】
また、記憶部６は顧客との取引が正常に行われた後に、顧客の口座番号と取引名、取引金額、制御部５のタイマー機能から認識した取引時刻等の取引履歴情報を記憶する。
７はカード取扱部であり、カード挿入口７ａに挿入された顧客のキャッシュカード等の取引カードの磁気ストライプに記録されているカード情報を読み書きする機能を有する。
８はレシート取扱部であり、顧客との取引結果を取引明細票に印刷してレシート発行口８ａから発行する等の機能を有する。
【００１２】
９は紙幣取扱部であり、現金自動預払機１へ投入された紙幣の受入れ、出金する現金の払い出し等を行う機能を有する。
１０は異物検知手段としての画像解析部であり、後述するカメラ部３５で撮影した画像をもとに異物の有無を検知する機能を有する。
図３において、１２は紙幣投入口シャッタ部であり、現金自動預払機１の筐体１ａに設けた筐体シャッタ１３と、紙幣収容部１５の上方に設けられ、紙幣収容部１５に立てた状態で収容された紙幣Ｐの面の鉛直方向に開閉する両開きの扉１４ａ、１４ｂを有するスライド式の収容部シャッタ１４により構成される。
【００１３】
紙幣収容部１５は、図４に示すように、立てた状態で収容された紙幣Ｐの面に直交する方向に異物を分離する所定の隙間、例えば流通している最も大きい硬貨の直径が通過する程度の隙間を開けて支持棒としての丸棒１６を並べた収容底部１５ａを備え、顧客が投入した紙幣Ｐおよび出金取引で払出す紙幣Ｐを立てた状態で丸棒１６上に載置すると共に、紙幣Ｐに紛れて投入されたクリップや硬貨等の異物が丸棒１６間の隙間から落下させて分離し、下方に設置されている後述する搬送ベルト２８上に集積するように構成されている。
【００１４】
１９は検知センサであり、光学式等のセンサであって、紙幣収容部２５内の紙幣Ｐの有無を検知する。
２０は分離ローラであり、紙幣Ｐの搬送路２２の最上流に配置され、紙幣収容部２５内で対向配置されたビルプレス２１との間に紙幣Ｐが収容された紙幣Ｐをビルプレス２１により分離ローラ２０に押し付けて分離ローラ２０を回転させることにより一枚づつ分離して搬送路２２へ繰出す。
【００１５】
搬送路２２は、対向配置されたローラあるいはベルト等により構成され、紙幣Ｐを挟持して搬送する。
２３は鑑別部であり、紙幣収容部１５から搬送路２２により搬送された紙幣Ｐの真偽、正損、金種等を鑑別する。
２４は一時保管部であり、鑑別部２３にて鑑別された紙幣Ｐを一時的に保管する。
【００１６】
２５は金種別カセット部であり、鑑別部２３で鑑別された紙幣Ｐを設定された金種ごとに集積する。
図５において、２６は異物一時集積部であり、異物の周りを囲うように配置された側面板２７と、異物を一時的に集積して振分ける異物振分機構としての搬送ベルト２８とにより構成され、側面板２７と搬送ベルト２８との間には異物としての硬貨が縦向きに落ちたときにそのまま搬送ベルト２８上を転がって落ちない程度の隙間を有する。
【００１７】
搬送ベルト２８は、モータ２９によって正逆回転可能に構成され、顧客が異物を必要として顧客に異物を返却するときは図４の矢印Ａに示す方向に回転して異物を異物搬送路３０を介して異物返却部３１へ搬送し、顧客が異物を不要として異物を破棄するときは図４の矢印Ｂに示す方向に回転して異物を回収トレー３２へ搬送する。
異物搬送路３０は、搬送ベルト２８と異物返却部３１との間で、搬送ベルト２８から搬送された異物が異物返却部３１へ滑り落ちるように傾斜して設置される。
【００１８】
異物返却部３１は、顧客に返却する異物を集積し、集積した異物を顧客が外部に取り出すための返却口３１ａを有している。
回収トレー３２は、顧客が不要とした異物を集積して回収するためのトレーであり、紙幣収容部１５に紙幣Ｐを投入している顧客から見えない位置に配置され、現金自動預払機１に着脱可能に装着される。
【００１９】
３５はカメラ部であり、搬送ベルト２８上に集積した異物を撮影するために搬送ベルト２８の上面を撮影するカメラである。
３６は照明部であり、カメラ部３５の近傍に設置され、カメラ部３５が撮影する搬送ベルト２８の上面に光を当てる照明である。
上記の現金自動預払機１の記憶部６には、予めカメラ部３５で異物が上に乗っていない状態の搬送ベルト２８を撮影した画像、つまり初期画像を格納する。更に画像解析部１０で顧客との取引中にカメラ部３５が撮影している画像と初期画像とを比較することによって異物を検出したときに撮影した画像を表示部２に表示する異物画像表示処理プログラムを加えた取引処理実行プログラムを格納している。そして制御部５と取引処理実行プログラムにより本実施例の現金自動預払機１のハードウェアとしての各種の機能手段が形成される。
【００２０】
上述した構成の作用について、図６に示す実施例１の現金自動預払機の異物処理の動作を示すフローチャートを用い、Ｓで示すステップに従って説明する。
Ｓ１、現金自動預払機１の制御部５は、表示部２に取引選択画面を表示して待機する。
本実施例では、顧客は預入取引の選択肢を選択する。
Ｓ２、預入取引を行うことを認識した制御部５は、表示部２に取引カードの挿入を促す文言を表示し、顧客が取引カードをカード取扱部７に挿入すると、制御部２は筐体シャッタ１３および収容部シャッタ１４を開くと共に、表示部２に紙幣の投入を促す文言を表示する。そして顧客は紙幣Ｐを紙幣収容部１５に投入する。
【００２１】
Ｓ３、顧客により紙幣Ｐが紙幣収容部１５に投入されると、制御部５は検知センサ１９によって紙幣Ｐを検知し、紙幣Ｐが投入されたことを認識する。
Ｓ４、制御部５は、タイマー機能により紙幣Ｐが投入されてから一定時間経過したことを認識すると、筐体シャッタ１３および収容部シャッタ１４を閉じる。
Ｓ５、制御部５は、紙幣収容部１５内の紙幣Ｐをビルプレス２１により押し付けて分離ローラ２０を回転させ、紙幣Ｐを一枚づつ分離して搬送路２２へ繰出し、ステップＳ２で認識した預入取引処理に関する動作を通常通りに実行し、記憶部６に取引履歴情報を記憶する。
【００２２】
ここで、紙幣Ｐに紛れて異物が紙幣収容部１５に投入されてしまった場合、このような異物の内、収容底部１５ａまで落ちた異物は収容底部１５ａの隙間から落下されることにより、紙幣Ｐから分離されて搬送ベルト２８に一時集積される。
また、紙幣Ｐの間に挟まれている等ですぐに収容底部１５ａまで落ちなかった異物は、紙幣Ｐをビルプレス２１で押し付けて分離ローラ２０によって紙幣Ｐを一枚づつ搬送路２２に繰出したときに異物は搬送路２２に繰出されないので、収容底部１５ａから落下して搬送ベルト２８に集積される。
【００２３】
Ｓ６、制御部５は、全ての紙幣Ｐを搬送路２２へ繰出したことを認識し、照明部３６を点灯して異物振分機構としての搬送ベルト２８に光を当て、カメラ部３５によって搬送ベルト２８の撮影を開始すると共に、記憶部６に格納した初期画像を読み出し、画像解析部１０によって読み出した初期画像とカメラ部３５で撮影している画像とを比較する。
このとき、紙幣収容部１５から落下した異物が搬送ベルト２８に集積している場合には、カメラ部３５が撮影している画像には異物が写るので、搬送ベルト２８に異物が投入されたことを認識する。
【００２４】
Ｓ７、異物投入を認識した制御部５は、カメラ部３５で撮影した異物の画像と、例えば「異物の混入がございました返却をご希望の場合はご返却ボタンを、ご不要であれば不要ボタンを押してください」等の異物の返却の要否を問う文言、異物を返却するためのご返却ボタン、不要な異物を回収するための不要ボタン等を表示した異物処理選択画面を表示する。
【００２５】
Ｓ８、制御部５は、顧客が入力部３で不要ボタンを押下したことを認識したときはステップＳ９へ分岐し、顧客が入力部３でご返却ボタンを押下したことを認識したときはステップＳ１０へ移行する。
なお、所定時間が経過してもいずれのボタンも押下されないときには、不要ボタンおよびご返却ボタンの点滅表示や、図示しない音声スピーカによる音声出力等で顧客に操作を促すようにする。
【００２６】
Ｓ９、不要ボタンの押下によって異物の返却が不要であると認識した制御部５は、モータ２９によって搬送ベルト２８を図４に示す矢印Ｂ方向に回転させて異物を回収トレー３２に搬送して回収し、顧客に取引カードを返却して顧客との取引を終了する。
Ｓ１０、ご返却ボタンの押下によって異物の返却が必要であると認識した制御部５は、モータ２９によって搬送ベルト２８を図４に示す矢印Ａ方向に回転させて異物を異物搬送路３０へ搬送し、搬送した異物を異物搬送路３０から異物返却部３１に滑り落とすことにより、異物を異物返却部３１の返却口３１ａに搬送して返却し、顧客に取引カードを返却または取引明細票を発行して取引を終了する。
【００２７】
なお、ステップＳ６にて異物無しと判定したときには、ステップＳ７からステップＳ１０の異物処理は行わないのは言うまでもない。
以上説明したように、本実施例では、カメラ部で搬送ベルトの上面を撮影して異物を認識したときには、表示部に異物処理選択画面を表示する。そして顧客による異物の返却の入力が行われた場合は、異物を異物返却部に搬送して顧客に返却するので、顧客が搬送ベルトの上面に落下した異物を拾うために紙幣収容部に無理に手を入れることがなくなり、紙幣収容部が壊されてしまる可能性を防止することができる。
【００２８】
また、顧客による異物を不要とした旨の入力が行われた場合は異物を回収トレーに搬送して回収するため、顧客が放置した異物によって異物返却部が詰まってしまうのを防止することができ、異物の返却を常に正常に行うことができる。
また、搬送ベルトによって異物を必ず異物返却部あるいは顧客から見えない位置に配置した回収トレーに搬送するため、顧客との取引終了後には搬送ベルトに異物は残らないので、現金自動預払機の異物振分機構に集積している異物の中に混ざっている硬貨を探して取り出すことを目的として現金自動預払機を利用する顧客が紙幣収容部に無理に手を入れて紙幣収容部を壊されてしまうことを防止することができ、このような目的を持った顧客による現金自動預払機の利用を抑止することができる。
【００２９】
さらに、異物処理選択画面を表示したことによって、顧客に異物があることを知らせることができるため、顧客が異物返却部に返却された異物を取り忘れてしまうのを防止することができる。
なお、上記実施例１において、取引が正常に行われた後に、顧客の口座番号と取引名、取引金額、制御部のタイマー機能から認識した取引時刻等の取引履歴情報を記憶するとして説明したが、カメラ部で撮影した画像を取引履歴情報に加えるようにすれば、搬送ベルトに付箋等の粘着性のある異物が貼り付いたままになったときに、取引履歴情報の画像から粘着性の異物がどの顧客の取引から存在していたかを容易に判別することができる。
【００３０】
また、上記実施例１において、カメラ部で撮影した画像を記憶して取引履歴情報に加えると共に、異物返却部に集積した異物を検知するセンサを設け、異物返却後に所定時間経過しても異物返却部に異物が残っていることを認識したときに、係員に異物の残留を報知して記憶部に記憶した取引履歴情報に異物を取り忘れたことを加えて記憶するようにすれば、顧客が異物を取り損ねて異物返却部に異物が残留した場合に、係員が取引履歴情報を参照して残留した異物がどの顧客のものであるかを確認することができる。
【実施例２】
【００３１】
図７は実施例２の紙幣収容部付近を示す説明図、図８は実施例２の紙幣収容部付近を示す斜視図である。
なお、上記実施例１と同様の部分は、同一の符号を付してその説明を省略する。
本実施例のカメラ部３５は、紙幣収容部１５の内部を撮影できる位置から搬送ベルト２８の上面を撮影できる位置までを往復移動可能に構成される。
【００３２】
図７、図８において、５０は遮蔽機構であり、収容底部１５ａと搬送ベルト２８との間に配置した２枚の斜板５０ａ、５０ｂにより構成され、斜板５０ａ、５０ｂは上部から下部にかけて互いの間隔を狭めるように配置すると共に、斜板５０ａの下部側の先端と斜板５０ｂの下部側の端部の上面との間を異物が通り抜ける程度の間隔を設けるように対向して設置される。
【００３３】
これによって、顧客が紙幣収容部１５の収容底部１５ａの隙間から搬送ベルト２８を見ようと覗き込んだ場合に、遮蔽機構５０によって顧客の視界から搬送ベルト２８を遮るので、顧客からは搬送ベルト２８に集積した異物が見えないようになる。
本実施例２の記憶部６は、カメラ部３５で撮影した紙幣Ｐが投入されていない状態の紙幣収容部１５の画像、つまり図９に示す紙幣収容部１５の初期状態を示す画像と、カメラ部３５で撮影した異物が上に乗っていない状態の搬送ベルト２８の画像、つまり図１０に示す搬送ベルトの初期状態を示す画像とを格納する。
【００３４】
上述した構成の作用について、図１１に示す実施例２の現金自動預払機の異物処理の動作を示すフローラチャートを用いて、ＳＡで示すステップに従って説明する。
なお、本実施例２では紙幣収容部１５に投入された紙幣Ｐの投入状態を解析する機能を有する現金自動預払機１に適用し、最初に紙幣収容部１５内の紙幣Ｐの投入状態を認識して預入取引処理を行ってから、次に本実施例のカメラ部３５による異物の撮影や異物返却部３１または回収トレー３２への異物の搬送を行う。
【００３５】
本実施例のステップＳＡ１からステップＳＡ２までの動作は上記実施例１のステップＳ１からステップＳ２までの動作と同様であるのでその説明を省略する。
ＳＡ３、制御部５は、筐体シャッタ１３および収容部シャッタ１４を開いたのをきっかけに、カメラ部３５による紙幣収容部１５の内部の撮影を開始すると共に、記憶部６に格納した紙幣収容部１５の初期状態を示す画像を読み出し、画像解析部１０によって読み出した画像をもとにしてカメラ部３５で撮影中の撮影画像の解析を行う。
【００３６】
ＳＡ４、顧客により紙幣Ｐが紙幣収容部１５に投入されると、図１２に示すように撮影画像に紙幣が写り、制御部５は画像解析部１０によって撮影画像内の紙幣を認識してその紙幣Ｐの投入状態を解析する。
ＳＡ５、制御部５は、解析した投入状態から斜めに投入されている紙幣や、２つ折れ紙幣等の紙幣ジャムの原因となる紙幣や、レシート等の搬送ベルト２８上に落下しないと考えられる異物を検知する等の投入状態に異常が有ると認識したときはステップＳＡ６に分岐し、投入状態に異常が無いと認識したときはステップＳＡ７に移行する。
【００３７】
ＳＡ６、投入状態の異常を認識した制御部５は、表示部２に投入された紙幣Ｐの投入状態に異常有りあるいは異物が混入していることを通知する文言と、紙幣Ｐの投入状態の修正および異物の除去を促す旨とを表示した紙幣抜取再投入画面を表示し、この時には検出センサ１９により紙幣Ｐの抜取検知すると共に、ステップＳＡ３に戻って再度カメラ部３５による紙幣収容部１５の内部の撮影を開始する。
【００３８】
ＳＡ７、投入状態に異常が無いと認識した制御部５は、筐体シャッタ１３および収容部シャッタ１４を閉じる。
ＳＡ８、制御部５は、紙幣収容部１５内の紙幣Ｐをビルプレス２１により押し付けて分離ローラ２０を回転させて一枚づつ分離して搬送路２２へ繰出し、ステップＳＡ２で認識した預入取引処理に関する動作を通常通りに実行する。
【００３９】
ここで、紙幣Ｐに紛れて異物が紙幣収容部１５に投入されてしまった場合、このような異物の内、収容底部１５ａまで落ちた異物は収容底部１５ａの隙間から落下させることにより、紙幣Ｐから分離する。
また、紙幣Ｐの間に挟まれている等ですぐに収容底部１５ａまで落ちなかった異物は、紙幣Ｐをビルプレス２１で押し付けて分離ローラ２０によって紙幣Ｐを一枚づつ搬送路２２に繰出したときに異物は搬送路２２に繰出されずに収容底部１５ａから落下する。
【００４０】
収容底部１５ａから落下した異物は斜板５０ａの下部側の先端と斜板５０ｂの下部側の端部との間を滑り落ちて搬送ベルト２８の上面に一時集積される。
ＳＡ９、制御部５は、照明部３６を点灯して搬送ベルト２８の上面に光を当てると共に、カメラ部３５を下降させて搬送ベルト２８の上面の撮影を開始する。
このとき、搬送ベルト２８には異物が集積しているので、カメラ部３５で撮影している画像は図１３に示すように異物の写った画像となる。
【００４１】
ＳＡ１０、制御部５は、記憶部６に格納した搬送ベルト２８の初期状態の画像を読み出し、画像解析部１０によって読み出した初期状態の画像とカメラ部３５で撮影している画像とを比較し、カメラ部３５で撮影している画像内の異物を検知することによって搬送ベルト２８に異物が集積していることを認識する。
ＳＡ１１、制御部５は、図１４に示すカメラ部３５によって撮影した異物の画像と「異物の混入がございました返却をご希望の場合はご返却ボタンを押してください」という異物の返却の要否を問う文言、異物を返却するためのご返却ボタン、不要な異物を破棄するための不要ボタンを表示した異物処理選択画面を表示する。
【００４２】
本実施例のステップＳＡ１２からステップＳＡ１４までの動作は、上記実施例１のステップＳ８からＳ１０までの動作と同様であるのでその説明を省略する。
このように、本実施例においては、遮蔽機構５０を搬送ベルト２８と収容底部１５ａとの間に設けて顧客が収容底部１５ａの隙間から下方を見たときの顧客の視界から搬送ベルト２８に集積する異物を遮ることができる。
【００４３】
以上説明したように、本実施例２では、上記実施例１の効果に加えて、遮蔽機構を搬送ベルトと収容底部との間に設けて搬送ベルト上の異物を顧客の視界から遮るため、紙幣を投入した際に搬送ベルトに落下した異物を見た顧客がその場ですぐに異物を取り出そうとするのを防止するので、更に顧客が紙幣収容部に無理に手を入れようとすることを防止することができる。
【００４４】
なお、上記実施例２においては、遮蔽機構を２枚の斜板によって構成するとして説明したが、顧客が紙幣収容部から下方を見たときに搬送ベルトに一時集積した異物を顧客の視界から遮るように配置した１枚の斜板によって構成するようにしてもよい。
【実施例３】
【００４５】
図１５は実施例３の紙幣収容部付近を示す説明図である。
なお、上記各実施例と同様の部分は、同一の符号を付してその説明を省略する。
６０は、異物振分機構としての傾斜可動板であり、回転支点６０ａにステッピングモータ６１が取付けられ、収容底部１５ａから落下した異物を一時的に集積すると共に、ステッピングモータ６１によって矢印Ｃ方向に回転することによって異物搬送路３０と略同一線上となるように傾斜して異物を異物搬送路３０に滑り落とし、又は矢印Ｄ方向に回転することによって一端が回収トレー３２の上方に位置するように傾斜して異物を回収トレー３２に滑り落として搬送するように構成される。
【００４６】
なお、通常の傾斜可動板６０は水平状態であり、図示しない検出センサによって水平となる位置が把握されている
本実施例の記憶部６には、予めカメラ部３５で異物が上に乗っていない状態の傾斜可動板６０を撮影した画像、つまり初期画像を格納している。
上述した構成の作用について説明する。
【００４７】
紙幣収容部１５に紙幣Ｐに紛れて投入された異物は紙幣収容部１５の収容底部１５ａから落下し、紙幣Ｐから分離されて斜板５０ａの下部側の先端と斜板５０ｂの下部側の端部との間を滑り落ちる。
斜板５０ａの下部側の先端と斜板５０ｂの下部側の先端との間を滑り落ちた異物は、傾斜可動板６０の上面に落下して集積される。
【００４８】
そして、照明部３６を点灯して傾斜可動板６０の上面に光を当ててカメラ部３５で傾斜可動板６０を撮影すると共に、記憶部６に格納した初期画像を読み出し、画像解析部１０によって読み出した初期画像とカメラ部３５で撮影している画像とを比較する。このとき紙幣収容部１５から分離した異物が傾斜可動板６０に集積している場合には、カメラ部３５が撮影している画像には異物が写っているので、傾斜可動板６０に異物が集積していることを認識する。
【００４９】
異物を認識したら、上記実施例１と同様にして異物処理選択画面を表示する。
顧客によってご返却ボタンが押下されたときはステッピングモータ６１によって傾斜可動板６０を異物搬送路３０の方に傾け、異物を異物搬送路３０に滑り落とし、異物搬送路３０を介して異物返却部３１に異物を搬送して顧客に返却する。
顧客によって不要ボタンが押下されたときはステッピングモータ６１によって傾斜可動板６０を回収トレー３２の方に傾けて異物を滑り落とし、回収トレー３２に搬送して回収する。
【００５０】
このように、異物を顧客に返却するときはステッピングモータ６１により、傾斜可動板６０を異物集積部２３側に回転させて傾斜させ、異物を異物搬送路３０に滑り落として異物集積部２３に搬送し、顧客が異物を不要としたときはステッピングモータ６１により、傾斜可動板６０を回収トレー３２側に回転させて傾斜させ、異物を回収トレー３２に搬送して回収する。
【００５１】
以上説明したように、本実施例は、上記各実施例と同様の効果を得ることができる。
なお、上記実施例２、実施例３において、斜板を異物が滑り落ちる方向に沿った中心がへこむように折り曲げて形成すれば、収容底部から分離した異物が斜板の中心に寄せられながら滑り落ちるために、搬送ベルトあるいは傾斜可動板に落下したときに一箇所に異物を集積することができる。
【００５２】
なお、上記各実施例においては、画像解析部によってカメラ部で現在の搬送ベルトを撮影した画像と記憶部に格納した初期画像とを比較して現在の画像に異物があることを認識することによって異物を検知するとして説明したが、異物検知手段としての光学式等の異物検知センサを紙幣収容部と搬送ベルトの間で複数配置して紙幣収容部から落下した異物がセンサを遮ったときに異物を検知するようにすれば、カメラ部で撮影した画像を解析する手間を省くことができる。
【００５３】
なお、上記各実施例においては、現金自動預払機を例に説明したが、自動取引装置としての紙幣両替機や発券機、金融機関の窓口の中に設置される現金処理機等に用いるようにしてもよい。
【図面の簡単な説明】
【００５４】
【図１】実施例１の現金自動預払機を示す斜視図
【図２】実施例１の現金自動預払機を示すブロック図
【図３】実施例１の紙幣取扱部の概略機構を示す断面図
【図４】実施例１の紙幣収容部の内部を示す斜視図
【図５】実施例１の紙幣収容部付近を示す説明図
【図６】実施例１の現金自動預払機の異物処理の動作を示すフローチャート
【図７】実施例２の紙幣収容部付近を示す説明図
【図８】実施例２の紙幣収容部付近を示す斜視図
【図９】実施例２の紙幣収容部の初期状態を示す画像
【図１０】実施例２の搬送ベルトの初期状態を示す画像
【図１１】実施例２の現金自動預払機の異物処理の動作を示すフローチャート
【図１２】紙幣が収容された紙幣収容部を示す画像
【図１３】搬送ベルトに異物が集積した状態を示す画像
【図１４】実施例２の異物処理選択画面を示す説明図
【図１５】実施例３の紙幣収容部付近を示す説明図
【符号の説明】
【００５５】
１    現金自動預払機（自動取引装置）
２    表示部
３    入力部
５    制御部
６    記憶部
７    カード取扱部
７ａ  カード挿入口
８    レシート取扱部
８ａ  レシート発行口
９    紙幣取扱部
１０  画像解析部（異物検知手段）
１２  紙幣投入口シャッタ部
１３  筐体シャッタ
１４  収容部シャッタ
１４ａ、１４ｂ  扉
１５  紙幣収容部
１５ａ  収容底部
１６  丸棒（支持棒）
１９  検知センサ
２０  分離ローラ
２１  ビルプレス
２２  搬送路
２３  鑑別部
２４  一時保管部
２５  金種別カセット部
２６  異物一時集積部
２７  側面板
２８  搬送ベルト（異物振分機構）
２９  モータ
３０  異物搬送路
３１  異物返却部
３１ａ  返却口
３２  回収トレー
３５  カメラ部
３６  照明部
５０  遮蔽機構
５０ａ、５０ｂ  斜板
６０  傾斜可動板（異物振分機構）
６０ａ  回転支点
６１  ステッピングモータ
【図１】
0004650149.tif 000002
【図２】
0004650149.tif 000003
【図３】
0004650149.tif 000004
【図４】
0004650149.tif 000005
【図５】
0004650149.tif 000006
【図６】
0004650149.tif 000007
【図７】
0004650149.tif 000008
【図８】
0004650149.tif 000009
【図９】
0004650149.tif 000010
【図１０】
0004650149.tif 000011
【図１１】
0004650149.tif 000012
【図１２】
0004650149.tif 000013
【図１３】
0004650149.tif 000014
【図１４】
0004650149.tif 000015
【図１５】
0004650149.tif 000016